(57)【要約】  信号が第１の方向に伝達される、第１の期間の終了を判定するための方法を提供する。当該方法は、サンプリングされた信号を取得するように、最大で少なくとも第１の期間の最長の予期された長さと同じくらいの期間にわたって信号をサンプリングすることを含む。サンプリングされた信号は、統合電力曲線を取得するために統合される。回転電力曲線を取得するために、基準線が統合電力曲線から差し引かれる。第１の期間の終了として、回転電力曲線のピークが選択される。
2012500590.tif 000002
【特許請求の範囲】
【請求項１】
信号が第１の方向に伝達される、第１の期間の終了を判定するための方法であって、
サンプリングされた信号を取得するように、最大で少なくとも前記第１の期間の最長の予期された長さと同じくらいの期間にわたって信号をサンプリングすることと、
統合電力曲線を得るように、前記サンプリングされた信号を統合することと、
回転電力曲線を取得するように、前記統合電力曲線から基準線を差し引くことと、
前記第１の期間の終了として前記回転電力曲線のピークを選択することと、
を含む、方法。
【請求項２】
信号をサンプリングすることは、少なくとも１つのダウンリンク期間をサンプリングする、請求項１に記載の方法。
【請求項３】
信号をサンプリングすることは、複数のフレームにわたって信号をサンプリングし、前記方法はさらに、
複数のサンプリングされたフレームのそれぞれの開始を整合し、前記サンプリングされたフレームを合計して平均的なサンプリングされたフレームを生成することによって、前記複数のサンプリングされたフレームを加算することを含み、
統合することは、前記平均的なサンプリングされたフレームを統合する、
請求項１に記載の方法。
【請求項４】
サンプリングすることは、フレームの開始からフレームの末端までサンプリングする、請求項１に記載の方法。
【請求項５】
統合することは、閾値を上回る前記サンプリングされた信号のサンプルを加算し、前記閾値を下回る前記サンプリングされた信号のサンプルを無視する、請求項１に記載の方法。
【請求項６】
前記閾値は、前記サンプリングされた信号のオンサンプルとオフサンプルとの間のほぼ中間点であり、オンサンプルは、サブフレームが受信されている間に取得されるサンプルであり、オフサンプルは、サブフレームが受信されていない間に取得されるサンプルである、請求項５に記載の方法。
【請求項７】
前記基準線は、それ自体に累積的に加算される閾値の半分であり、前記閾値は、前記検出された信号のオンサンプルとオフサンプルとの間の中間点の約半分であり、オンサンプルは、サブフレームが受信されている間に取得されるサンプルであり、オフサンプルは、サブフレームが受信されていない間に取得されるサンプルである、請求項１に記載の方法。
【請求項８】
時分割二重（ＴＤＤ）システムにおいて切り替えるための装置であって、
アップリンク通信経路に連結された第１のポート、およびダウンリンク通信経路に連結された第２のポートを有する、スイッチと、
前記スイッチを通して伝播する無線周波数信号を表す信号の電力レベルを示す、電力レベル信号を出力する、電力レベル検出器と、
前記電力レベル検出器によって出力される前記電力レベル信号のサンプルを累積的に合計して、合計電力曲線を生成するように構成される、処理デバイスであって、前記処理デバイスは、前記合計電力曲線から基準線を差し引いて、回転電力曲線を取得するように構成され、前記処理デバイスは、前記回転電力曲線のピークの時間に基づいて、前記スイッチを制御するように構成される、処理デバイスと、を備える、装置。
【請求項９】
前記回転電力曲線の前記ピークは、ダウンリンクサブフレームの末端を表し、前記処理デバイスは、前記ダウンリンクサブフレームの前記末端に基づいて、前記スイッチをアップリンクモードに設定するように構成される、請求項８に記載の装置。
【請求項１０】
前記処理デバイスは、複数のサンプリングされたフレームのそれぞれの開始を整合し、前記サンプリングされたフレームを合計して平均的なサンプリングされたフレームを生成することによって、前記複数のサンプリングされたフレームを加算するように構成され、
前記処理デバイスは、前記平均的なサンプリングされたフレームを累積的に合計して、前記合計電力曲線を生成するように構成される、請求項８に記載の装置。
【請求項１１】
前記処理デバイスは、フレームの開始からフレームの末端まで前記サンプリングされた信号を累積的に合計するように構成される、請求項８に記載の装置。
【請求項１２】
前記処理デバイスは、閾値を上回る前記サンプリングされた信号のサンプルを累積的に合計し、前記閾値を下回る前記サンプリングされた信号のサンプルを無視するように構成される、請求項８に記載の装置。
【請求項１３】
前記閾値は、前記サンプリングされた信号のオンサンプルとオフサンプルとの間のほぼ中間点であり、オンサンプルは、サブフレームが受信されている間に取得されるサンプルであり、オフサンプルは、サブフレームが受信されていない間に取得されるサンプルである、請求項１２に記載の装置。
【請求項１４】
前記基準線は、それ自体に累積的に加算される閾値の半分であり、前記閾値は、前記検出された信号のオンサンプルとオフサンプルとの間の中間点の約半分であり、オンサンプルは、サブフレームが受信されている間に取得されるサンプルであり、オフサンプルは、サブフレームが受信されていない間に取得されるサンプルである、請求項８に記載の装置。
【請求項１５】
通信システムであって、
基地局と通信するように構成される、少なくとも１つのハブと、
前記少なくとも１つのハブに通信可能に連結され、前記少なくとも１つのハブと複数の無線端末との間で信号を通信可能に連結する、複数の遠隔アンテナユニットと、
を備え、前記少なくとも１つのハブはさらに、
アップリンク通信経路に連結された第１のポート、およびダウンリンク通信経路に連結された第２のポートを有する、スイッチと、
前記スイッチを通して伝播する無線周波数信号の電力レベルを測定するように構成される、電力レベル検出器と、
前記電力レベル検出器によって取得されるサンプリングされた信号を累積的に合計して、合計電力曲線を生成するように構成される、処理デバイスであって、前記処理デバイスは、前記合計電力曲線から基準線を差し引いて、回転電力曲線を取得するように構成され、前記処理デバイスは、前記回転電力曲線のピークの時間に基づいて、前記スイッチを制御するように構成される、処理デバイスと、を備える、システム。
【請求項１６】
前記回転電力曲線の前記ピークは、ダウンリンクサブフレームの末端を表し、前記処理デバイスは、前記ダウンリンクサブフレームの前記末端に基づいて、前記スイッチをアップリンクモードに設定するように構成される、請求項１５に記載のシステム。
【請求項１７】
前記処理デバイスは、複数のサンプリングされたフレームのそれぞれの開始を整合し、前記サンプリングされたフレームを合計して平均的なサンプリングされたフレームを生成することによって、前記複数のサンプリングされたフレームを加算するように構成され、
前記処理デバイスは、前記平均的なサンプリングされたフレームを累積的に合計して、前記合計電力曲線を生成するように構成される、請求項１５に記載のシステム。
【請求項１８】
前記処理デバイスは、閾値を上回る前記サンプリングされた信号のサンプルを累積的に合計し、前記閾値を下回る前記サンプリングされた信号のサンプルを無視するように構成される、請求項１５に記載のシステム。
【請求項１９】
前記閾値は、前記サンプリングされた信号のオンサンプルとオフサンプルとの間のほぼ中間点であり、オンサンプルは、サブフレームが受信されている間に取得されるサンプルであり、オフサンプルは、サブフレームが受信されていない間に取得されるサンプルである、請求項１５に記載のシステム。
【請求項２０】
前記基準線は、それ自体に累積的に加算される閾値の半分であり、前記閾値は、前記検出された信号のオンサンプルとオフサンプルとの間の中間点の約半分であり、オンサンプルは、サブフレームが受信されている間に取得されるサンプルであり、オフサンプルは、サブフレームが受信されていない間に取得されるサンプルである、請求項１５に記載のシステム。
【請求項２１】
時分割二重システムにおいて切り替えるための装置であって、
前記装置を通信媒体に通信可能に連結するインターフェースであって、前記装置は、時分割二重スキームに従って、前記通信媒体を介して第１の信号を出力することと、前記通信媒体から第２の信号を受信することとを切り替えるように動作可能である、インターフェースと、
前記第１の信号の電力レベルを示すサンプルを出力する、電力レベル検出器と、
前記電力レベル検出器によって出力される前記サンプルを累積的に合計して、合計電力曲線を生成するように構成される、処理デバイスであって、前記処理デバイスは、前記合計電力曲線から基準線を差し引いて、回転電力曲線を取得するように構成され、前記処理デバイスは、前記回転電力曲線のピークの時間に基づいて、前記通信媒体を介して第１の信号を出力することと、前記通信媒体から第２の信号を受信することとの前記切替を制御するように構成される、処理デバイスと、を備える、装置。
【請求項２２】
前記回転電力曲線の前記ピークは、ダウンリンクサブフレームの終了を表し、前記処理デバイスは、前記ダウンリンクサブフレームの前記終了に基づいて、前記切替を制御するように構成される、請求項２１に記載の装置。
【請求項２３】
前記処理デバイスは、複数のサンプリングされたフレームのそれぞれの開始を整合し、前記サンプリングされたフレームを合計して平均的なサンプリングされたフレームを生成することによって、前記複数のサンプリングされたフレームを加算するように構成され、
前記処理デバイスは、前記平均的なサンプリングされたフレームを累積的に合計して、前記合計電力曲線を生成するように構成される、請求項２１に記載の装置。
【請求項２４】
前記処理デバイスは、フレームの開始からフレームの終了まで前記サンプリングされた信号を累積的に合計するように構成される、請求項２１に記載の装置。
【請求項２５】
前記処理デバイスは、閾値を上回る前記サンプリングされた信号のサンプルを累積的に合計し、前記閾値を下回る前記サンプリングされた信号のサンプルを無視するように構成される、請求項２１に記載の装置。
【請求項２６】
前記閾値は、前記サンプリングされた信号のオンサンプルとオフサンプルとの間のほぼ中間点であり、オンサンプルは、サブフレームが受信されている間に取得されるサンプルであり、オフサンプルは、サブフレームが受信されていない間に取得されるサンプルである、請求項２５に記載の装置。
【請求項２７】
前記基準線は、それ自体に累積的に加算される閾値の半分であり、前記閾値は、前記検出された信号のオンサンプルとオフサンプルとの間の中間点の約半分であり、オンサンプルは、サブフレームが受信されている間に取得されるサンプルであり、オフサンプルは、サブフレームが受信されていない間に取得されるサンプルである、請求項２１に記載の装置。
【発明の詳細な説明】
【技術分野】
【０００１】
本願は、３５  Ｕ．Ｓ．  Ｃ．  §  １１９（ｅ）の下で、２００８年８月１８日出願の代理人整理番号１００．１０７１ＵＳＰＲ、「ＭＥＴＨＯＤ  ＡＮＤ  ＡＰＰＡＲＡＴＵＳ  ＦＯＲ  ＤＥＴＥＲＭＩＮＩＮＧ  ＡＮ  ＥＮＤ  ＯＦ  Ａ  ＳＵＢＦＲＡＭＥ  ＩＮ  Ａ  ＴＤＤ  ＳＹＳＴＥＭ」と題された米国暫定特許出願第６１／０８９，６１３号に対する優先権を請求する。米国暫定出願第６１／０８９，６１３号は、参照することにより本明細書に組み込まれる。
【０００２】
関連出願への相互参照
この出願は、参照することにより本明細書に組み込まれる、以下の出願に関する。
【０００３】
２００８年６月２４日出願の代理人整理番号１００．９２１ＵＳ０１、「ＭＥＴＨＯＤ  ＡＮＤ  ＡＰＰＡＲＡＴＵＳ  ＦＯＲ  ＦＲＡＭＥ  ＤＥＴＥＣＴＩＯＮ  ＩＮ  Ａ  ＴＤＤ  ＳＹＳＴＥＭ」と題された米国特許出願第１２／１４４，９６１号、
２００８年６月２４日出願の代理人整理番号１００．９２４ＵＳ０１、「ＳＹＳＴＥＭ  ＡＮＤ  ＭＥＴＨＯＤ  ＦＯＲ  ＳＹＮＣＨＲＯＮＩＺＥＤ  ＴＩＭＥ−ＤＩＶＩＳＩＯＮ  ＤＵＰＬＥＸ  ＳＩＧＮＡＬ  ＳＷＩＴＣＨＩＮＧ」と題された米国特許出願第１２／１４４，９３９号、および
２００８年６月２４日出願の代理人整理番号１００．９２５ＵＳ０１、「ＳＹＳＴＥＭ  ＡＮＤ  ＭＥＴＨＯＤ  ＦＯＲ  ＣＯＮＦＩＧＵＲＡＢＬＥ  ＴＩＭＥ−ＤＩＶＩＳＩＯＮ  ＤＵＰＬＥＸ  ＩＮＴＥＲＦＡＣＥ」と題された米国特許出願第１２／１４４，９１３号。
【背景技術】
【０００４】
時分割二重（ＴＤＤ）方法は、半二重通信リンクを介して全二重通信を模倣する。具体的には、第１のデバイスから第２のデバイスに伝達される信号は、第２のデバイスから第１のデバイスに伝達される信号と同じ周波数で発生するが、異なる時に発生する。典型的には、通信の一方の方向は、「ダウンリンク」方向と呼ばれ（ここで、対応する信号は「ダウンリンク信号」または「ダウンリンク通信」と呼ばれる）、通信の他方の方向は、「アップリンク」方向と呼ばれる（ここで、対応する信号は「アップリンク信号」または「アップリンク通信」と呼ばれる）。例えば、いくつかのシステムでは、別個のダウンリンクおよびアップリンクタイムスロットまたはサブフレームが割り当てられる。
【０００５】
多くのシステムが通信にＴＤＤを使用する。例えば、Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ（ＩＥＥＥ）(米国電気電子技術者協会)８０２．１６規格のいくつかの実施は、無線周波数通信にＴＤＤを使用する。例えば、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷＩＭＡＸ）  Ｆｏｒｕｍは、ＴＤＤを使用するＩＥＥＥ  ８０２．１６に基づいて、実装プロファイルを公布している。１つのそのようなＷＩＭＡＸプロファイルでは、各方向の通信に割り当てられる時間量は、動的に割り付けられる。言い換えれば、アップリンクデータの量が増加するにつれて、より大きいサブフレームの形態の帯域幅が、さらに多くアップリンク方向に割り付けられる。
【０００６】
ＴＤＤシステムにおけるデバイス間の通信の成功のために、デバイスは、ダウンリンク方向に通信することからアップリンク方向に通信することへ切り替える時と、アップリンク方向に通信することからダウンリンク方向に通信することに切り替える時とを同期化する必要がある。そうでなければ、信号は、干渉により失われるか、または各デバイスが同じ信号方向に切り替えられなかったために見落とされる。ＩＥＥＥ  ８０２．１６規格は、各デバイスを同期化するための正確な時間基準を提供するように、全地球測位システム（ＧＰＳ）受信機の使用を特定する。さらに、ＩＥＥＥ  ８０２．１６規格はまた、ダウンリンクおよびアップリンクサブフレームのそれぞれがどれだけ長くなるかを示す情報を抽出するために、各デバイスがＩＥＥＥ  ８０２．１６フレームおよびサブフレームを復調および復号する能力を有することも検討する。抽出された情報はまた、通信方向を切り替える時を決定するためにも使用される。
【０００７】
いくつかの用途では、ＴＤＤ用途において第１のデバイスと第２のデバイスとの間で信号を中継するために、分散アンテナシステム（ＤＡＳ）が使用される。例えば、１つのそのような分散アンテナシステムでは、第１のデバイスからのダウンリンクＲＦ信号が、建造物の屋根の上に位置するドナーアンテナにおいて受信され、ハブユニットによって中間周波数（ＩＦ）信号に低周波数変換され、建造物内に位置する遠隔アンテナユニットへの輸送ケーブル配線（例えば、光ファイバ、同軸ケーブル、ＣＡＴＶケーブル、ツイストペアケーブル配線）で配信される。次いで、ダウンリンク信号は、遠隔アンテナユニットから第２のデバイスへ伝達される。遠隔アンテナユニットにおいて受信されるダウンリンクＩＦ信号は、元のＲＦ周波数に再び高周波数変換され、遠隔アンテナから放射される。同様に、遠隔アンテナにおいて受信されるアップリンクＲＦ信号は、遠隔アンテナユニットによってＩＦ信号に低周波数変換され、輸送ケーブル配線でハブユニットへ送り返される。ハブユニットにおいて受信されるアップリンクＩＦ信号は、元のＲＦ周波数に再び高周波数変換され、ドナーアンテナから放射される。そのような分散アンテナシステムの１つの実施例は、特許文献１で説明されている。
【先行技術文献】
【特許文献】
【０００８】
【特許文献１】米国特許第６，１５７，８１０号
【発明の概要】
【発明が解決しようとする課題】
【０００９】
しかしながら、そのような分散アンテナシステムはしばしば、ＴＤＤ  ＲＦ伝送スキーム（ＴＤＤ  ＷＩＭＡＸ実装等）とともに使用するために好適ではない。例えば、従来の分散アンテナシステムは、典型的には、周波数分割二重（ＦＤＤ）システム（グローバルシステムフォーモバイルコミュニケーションズ（Ｇｌｏｂａｌ  Ｓｙｓｔｅｍ  ｆｏｒ  Ｍｏｂｉｌｅ  ｃｏｍｍｕｎｉｃａｔｉｏｎｓ／ＧＳＭ）および符号分割多重アクセス（ＣＤＭＡ）セルラーシステム等）とともに使用するために設計されている。また、ＧＰＳ受信機は、典型的には、建造物の内側では稼働しない（またはよく稼働しない）。さらに、そのような分散アンテナシステムは、典型的には、配信するＲＦ信号を復調および復号しない。
【課題を解決するための手段】
【００１０】
以下の概要は、限定するものではなく、一例として示されている。一実施形態では、信号が第１の方向に伝達される、第１の期間の終了を判定するための方法が提供される。当該方法は、サンプリングされた信号を取得するように、最大で少なくとも第１の期間の最長の予期された長さと同じくらいの期間にわたって信号をサンプリングすることを含む。サンプリングされた信号は、統合電力曲線を取得するように統合される。回転電力曲線を取得するように、統合電力曲線から基準線が差し引かれる。第１の期間の終了として、回転電力曲線のピークが選択される。
【図面の簡単な説明】
【００１１】
【図１】アップリンク伝送とダウンリンク伝送とを切り替えるための通信システムの一実施形態のブロック図である。
【図２】フレーム構造の一実施形態の略図である。
【図３】アップリンク伝送とダウンリンク伝送とを切り替えるための通信回路の一実施形態のブロック図である。
【図４】サブフレームの終了を判定する方法の一実施形態を図示する、フローチャートである。
【図５】複数のサンプリングされたフレームの一実施形態を図示するグラフである。
【図６】単一のサンプリングされた平均フレームの一実施形態を図示するグラフである。
【図７】単純平均電力レベルおよび閾値電力レベルの一実施形態とともに、図６の単一のサンプリングされた平均フレームを図示するグラフである。
【図８】統合電力曲線の一実施形態を図示するグラフである。
【図９】回転電力曲線の一実施形態を図示するグラフである。
【発明を実施するための形態】
【００１２】
慣習に従って、種々の説明された特徴は、一定の縮尺で描かれていないが、本開示に関連する具体的特徴を強調するように描かれている。
【００１３】
図１は、通信システム１００の一実施形態のブロック図である。通信システム１００は、ＴＤＤ  ＷｉＭＡＸ  ＲＦ信号を配信するために実装されるものとして本明細書で説明される。しかしながら、他の実施形態を他の方法で実装できることを理解されたい（例えば、無線ブロードバンド、ＷｉＢｒｏ、またはロングタームエボリューション（ＬＴＥ）等の、他の種類のＴＤＤ  ＲＦ信号を配信するため）。背景技術の項で記述されているように、ＴＤＤスキームは、同じ周波数を使用して、アップリンク伝送（無線端末１１２から基地局１０２に向かう）およびダウンリンク伝送（基地局１０２から無線端末１１２に向かう）を発生させることによって、２つのデバイス間の双方向通信を可能にする。
【００１４】
図１に示された実施形態では、通信システム１００は、分散アンテナシステム（ＤＡＳ）１０３に通信可能に連結された基地局１０２を備える。ＤＡＳ１０３は、１つもしくは複数のアップストリームデバイス（例えば、基地局送受信機１０２、無線アクセスポイント、または他の無線周波数信号源）と１つもしくは複数の無線デバイス（例えば、無線端末１１２）との間で無線周波数信号を輸送するために使用される。いくつかの実施形態では、基地局送受信機１０２（本明細書では「基地局」１０２とも呼ばれる）は、電気通信サービスプロバイダの基盤構造の一部であり、無線端末１１２は、加入者宅内機器を備える。一般に、基地局１０２がダウンストリーム無線端末１１２と通信する、各無線周波数信号またはチャネルについて、元のダウンリンク無線周波数信号が、１つもしくは複数の無線端末１１２による受信のために、最初は基地局１０２によって伝送され、元のアップリンク無線周波数信号が、基地局１０２による受信のために、最初は無線端末１１２によって伝送される。
【００１５】
ＤＡＳ１０３は、遠隔アンテナユニット１０８−１０９に通信可能に連結されたハブ１０６を備える。この実施形態では、ＤＡＳ１０３はまた、ハブ１０６の範囲を拡張するように、ハブ１０６と遠隔アンテナユニット１１０、１１１との間で通信可能に連結された拡張ユニット１１４も含む。各遠隔アンテナユニット１０８−１１１は、無線端末１１２と無線で通信するために使用される、１つもしくは複数のアンテナ１０４に連結される。この実施形態では、遠隔アンテナユニット１０８−１１１のそれぞれは、１次アンテナおよびダイバーシティアンテナといった、２つのアンテナ１０４に連結される。この実施形態では、ある数の遠隔アンテナユニット１０８−１１１および拡張ユニット１１４がハブ１０６に連結されるが、他の実施形態では、他の数の遠隔アンテナユニット１０８−１１１および拡張ユニット１１４がハブ１０６に連結される。
【００１６】
一実施形態では、ハブ１０６は、１つもしくは複数の光ファイバケーブルを介して、拡張ユニット１１４に通信可能に連結される。遠隔アンテナユニット１０８−１１１は、例えば、複数のＲＦ周波数帯域が配信される場合は、例えば、細い同軸ケーブル配線、ＣＡＴＶケーブル配線、または光ファイバケーブル配線を通して、または、１つだけのＲＦ周波数帯域が配信される場合は、非シールドツイストペアケーブル配線等の低帯域幅ケーブル配線を通して、ハブ１０６または拡張ユニット１１４に通信可能に連結される。
【００１７】
ハブ１０６は、１つもしくは複数のアップストリームデバイス（１つもしくは複数の基地局１０２または無線アクセスポイント等）に通信可能に連結される。いくつかの実施形態では、ハブ１０６は、１つもしくは複数のアップストリームデバイスに物理的に接続される。他の実施形態では、ハブ１０６は、他の方法で（例えば、１つもしくは複数のドナーアンテナおよび１つもしくは複数の双方向増幅器つまりリピータを使用して）１つもしくは複数のアップストリームデバイスに通信可能に連結される。この実施形態では、基地局１０２は、ＷｉＭＡＸ基地局を備える。
【００１８】
ＤＡＳ１０３は、無線端末１１２と基地局１０２との間の通信を配信する。無線端末１１２は、遠隔アンテナ１０４を介して、遠隔アンテナユニット１０８−１１１へ／遠隔アンテナユニット１０８−１１１から信号を伝送／受信する。図１に示された特定のＷｉＭＡＸ実施形態では、基地局１０２は、ハブ１０６に供給される、元のダウンリンクＲＦ信号を伝送する。元のダウンリンクＲＦ信号は、ＩＦ周波数帯域に低周波数変換される。次いで、このダウンリンクＩＦ信号は、遠隔アンテナユニット１０８−１１１に配信される。
【００１９】
ダウンリンクＩＦ信号は、直接（図１の遠隔アンテナユニット１０８および１０９について示されるように）、または拡張ハブ（図１の遠隔アンテナユニット１１０−１１１について示されるように）を通して、遠隔アンテナユニット１０８−１１１に配信される。拡張ユニット１１４に伝達される信号は、アナログ光変調器を使用して、ファイバリンクを介して送信される。拡張ユニット１１４は、光信号を受信および復調して、ダウンリンクＩＦ信号を回収し、それは次いで、その拡張ユニット１１４に連結された遠隔アンテナユニット１１０−１１１のそれぞれに伝送される。ダウンリンクＩＦ信号は、遠隔アンテナユニット１０８−１０９に直接送信される。各遠隔アンテナユニット１０８−１１１は、拡張ユニット１１４またはハブ１０６からダウンリンクＩＦ信号を受信し、それぞれの元のダウンリンク無線周波数信号を再現するために、それぞれのそのようなダウンリンクＩＦ信号を、基地局１０２から受信されたような元のＲＦ周波数に高周波数変換する。再現されたダウンリンクＲＦ信号は、特定の遠隔アンテナユニット１０８−１１１のサービスエリア内に位置する、好適な無線デバイス１１２（もしあれば）による受信のために放射される。
【００２０】
同様の過程が、アップリンク方向で行われる。各無線デバイス１１２は、１つもしくは複数のそれぞれのアンテナから、元のアップリンクＲＦ信号を伝送する。各遠隔アンテナユニット１０８−１１１において、そのＲＡＵ１０８−１１１に対する遠隔アンテナ１０４は、元のアップリンクＲＦ信号を受信する。受信した元のアップリンクＲＦ信号は、帯域外信号を除去するためにフィルタにかけられる。遠隔アンテナユニット１０８−１１１は、ハブ１０６に再び配信するために、各アップリンクＲＦチャネルを異なる中間周波数（ＩＦ）に低周波数変換する。低周波数変換したアップリンクＩＦチャネルは、（ＦＤＭを使用して）組み合わせられ、遠隔アンテナユニット１０８−１１１に通信可能に連結されたアップストリームデバイス（ハブ１０６または拡張ユニット１１４）に伝達される。拡張ユニット１１４において受信された信号は、アナログ光変調器を使用して、ファイバリンクでハブ１０６に伝達される。拡張ユニット１１４からの信号は、ハブ１０６において受信され、ハブ１０６は、拡張ユニット１１４から光信号を復調して、その拡張ユニット１１４に伝送されたアップリンクＩＦ信号を回収する。次いで、拡張ユニット１１４からの回収したアップリンクＩＦ信号は、遠隔アンテナユニット１０８−１０９からのアップリンクＩＦ信号と組み合わせられる。次いで、ハブ１０６は、それぞれの元のアップリンク無線周波数信号を再現するために、各アップリンクＩＦ信号を、遠隔アンテナユニット１０８−１１１によって無線で受信されたような元のＲＦ周波数に高周波数変換する。次いで、それぞれの再現されたアップリンクＲＦチャネルは、基地局１０２に伝達される。
【００２１】
この実施形態では、アップリンクおよびダウンリンク通信の両方について、ＤＡＳ１０３の構成要素（ハブ１０６、拡張ユニット１１４、および遠隔アンテナユニット１０８−１１１）は、基地局１０２および無線端末１１２によって伝送された信号を復調、復号、または脱フレーム化しない。その代わり、ＤＡＳ１０３は、基地局１０２と無線デバイス１１２との間で信号を受信および再現する、リピータシステムの役割を果たす。
【００２２】
図２は、システム１００とともに使用するためのＴＤＤ伝送フレーム２００の一実施例を図示する。フレーム２００は、ダウンリンク（ＤＬ）サブフレーム２０２、それに引き続くアップリンク（ＵＬ）サブフレーム２０４を備える。各ダウンリンクサブフレーム２０２の間に、ダウンリンク信号が基地局１０２から無線端末１１２に伝達される。各アップリンクサブフレーム２０４の間に、アップリンク信号が無線端末１１２から基地局１０２に伝達される。加えて、後続のＴＤＤフレームの第２のダウンリンクサブフレーム２０５の一部分も示されている。伝送の各開始または終了は、本明細書では伝送境界と呼ばれる。
【００２３】
この実施形態では、全てのＴＤＤフレーム２００は、５ｍｓ固定持続時間を有し、１つのアップリンクサブフレームと、それに引き続く１つのダウンリンクサブフレームを含有する、実質的に同じ形式を有する。いくつかの実施形態では、ＴＤＤフレーム２００の一部分は、制御データに割り付けられる。他の実施形態では、ＴＤＤフレーム２００は、可変持続時間を有してもよく、および／または、複数のアップリンクまたはダウンリンクサブフレームは、各フレーム２００内に含まれてもよい。加えて、他の実施形態は、まず、ダウンリンクサブフレームが後に続くアップリンクサブフレーム、または各フレームを開始する、アップリンクおよびダウンリンクサブフレームの間のフレームにわたる変動を有してもよい。
【００２４】
図２に示された実施形態では、ＴＤＤフレーム２００の開始部分は、ダウンリンクサブフレーム２０２に割り付けられる。ダウンリンクサブフレーム２０２の終了時に、時間の空白（ＴＴＧ）２０６がアップリンクサブフレーム２０４の開始前に発生する。次いで、アップリンクサブフレーム２０４が開始し、別の時間の空白（ＲＴＧ）２０８が、アップリンクサブフレーム２０４の終了と、次のフレームの後続ダウンリンクサブフレーム２０５の開始との間で発生する。ダウンリンクサブフレーム２０２とアップリンクサブフレーム２０４との間のＴＴＧ２０６は、基地局１０２が伝送モードから受信モードに切り替わるため、および無線端末１１２が受信モードから伝送モードに切り替わるための時間を許容する。同様に、ＲＴＧ２０８は、基地局１０２が受信モードから伝送モードに切り替わるため、および無線端末１１２が伝送モードから受信モードに切り替わるための時間を許容する。本明細書で使用されるように、「伝送モード」は、デバイスが発信通信を送信していることを意味し、「受信モード」は、デバイスが着信通信を受信していることを意味する。ＴＴＧ２０６およびＲＴＧ２０８はまた、基地局／携帯電話同期化および伝搬遅延判定／調整等のための時間も提供する。
【００２５】
ＤＡＳ１０３内のＲＦ回路はまた、ダウンリンク伝送の処理とアップリンク伝送の処理とを切り替える。基地局１０２および無線端末１１２と同様に、ＤＡＳ１０３内のＲＦ回路の切替は、時間の空白ＴＴＧ２０６およびＲＴＧ２０８の間に発生する。ハブ１０６内のＲＦ回路ならびに各遠隔アンテナユニット１０８−１１１内のＲＦ回路は、アップリンクおよびダウンリンク切替を行う。
【００２６】
一実施形態では、各フレーム２００は、ダウンリンクサブフレーム２０２およびアップリンクサブフレーム２０４の持続時間が固定されるように、同じ負荷サイクルを有する。代替実施形態では、その負荷サイクルは、ウンリンクサブフレーム２０２およびアップリンクサブフレーム２０４の持続時間がフレームごとに可変であるように、可変である。可変負荷サイクルについて、サブフレーム持続時間は、システムトラフィック、ユーザの環境、または他のパラメータに基づいて、伝送中に動的に割り当てられる。例えば、一実施形態では、フレーム２００は、合計４７のフレームを有し、通信プロトコルによって許容されるように、３５、３４、および３３シンボルの所定のダウンリンクサブフレーム長と、１２、１３、および１４シンボルのアップリンクサブフレーム長とを有する。３５シンボルダウンリンクサブフレーム２０２は、１２シンボルアップリンクサブフレーム２０４に対応する。各サブフレームの中のシンボルの数にかかわらず、アップリンクおよびダウンリンクシンボルの総数は、４７にとどまる。したがって、ダウンリンクサブフレーム２０２の中により少ないシンボルがある場合、対応するアップリンクサブフレーム２０４の中により多くのシンボルがある。この実施形態では、フレーム２００が固定または可変負荷サイクルであるかどうかにかかわらず、ＴＴＧ２０６およびＲＴＧ２０８の期間は、固定持続時間を有する。この実施形態では、図２の特定のＴＤＤ構造が使用されるが、他のＴＤＤスキームを使用して、他の実施形態が実装される。
【００２７】
無線端末１１２は、基地局１０２によって送信された通信から、ダウンリンクサブフレーム２０２およびアップリンクサブフレーム２０４のタイミングを取得する。一実施形態では、これらの通信は、別個の制御チャネルを介して発生し、無線端末１１２は、制御チャネルを聞き、フレームおよびサブフレームタイミングを取得する。別の実施形態では、無線端末１１２は、フレーム２００内の基地局１０２によって送信されたメッセージから、またはペイロードチャネル上の現在の伝送を聞き、伝送から直接タイミングを確認することによって、フレームおよびサブフレームタイミングを取得する。いずれの場合でも、無線端末１１２は、いつ各フレーム２００が始まるか、いつダウンリンクサブフレーム２０２が終了するか、受信モードから伝送モードに切り替える時、およびどの時点でアップリンクサブフレーム２０４を伝送し始めるかを決定する。しかしながら、この実施形態では、ハブ１０６および遠隔アンテナユニット１０８−１１１は、基地局１０２と無線端末１１２との間で伝送される信号を復号および解凍するために必要とされる回路を持たない。したがって、一実施形態では、ハブ１０６および遠隔アンテナユニット１０８−１１１は、フレームおよびサブフレームのタイミングを独立して決定するために含まれる回路を有する。
【００２８】
図３は、通信システム１００における伝送構造の境界の時間的な位置を決定するための回路３００の一実施形態を図示する。図３に示された実施形態では、回路３００は、システム１００内で伝送される信号の電力レベルに基づいて、サブフレームの終了の時間的な位置を決定する。決定されたサブフレームタイミングに基づいて、回路３００は、ＴＤＤダウンリンクモードとＴＤＤアップリンクモードとを切り替える時を決定する。例えば、この実施形態では、回路３００は、ダウンリンクサブフレーム２０２の終了境界の時間的な位置を決定する。
【００２９】
回路３００は、（例えば、基地局１０２と示されていない他の無線端末との間の）システム１００を介して現在伝送されている信号を検出し、ダウンリンクサブフレームの終了境界を決定する。次いで、ダウンリンクサブフレームの決定されたタイミングは、フレームの負荷サイクル、したがって、回路３００がダウンリンクモードからアップリンクモードに切り替わる時を決定するために使用される。フレーム負荷サイクルが固定されると、ダウンリンクサブフレーム２０２の終了、したがって、アップリンクサブフレーム２０４の開始は、２００の開始に対して固定される。例えば、２００８年６月２４日出願の代理人整理番号１００．９２１ＵＳ０１、「ＭＥＴＨＯＤ  ＡＮＤ  ＡＰＰＡＲＡＴＵＳ  ＦＯＲ  ＦＲＡＭＥ  ＤＥＴＥＣＴＩＯＮ  ＩＮ  Ａ  ＴＤＤ  ＳＹＳＴＥＭ」と題された同時係属米国特許出願第１２／１４４，９６１号で説明されている過程を使用して、フレームの開始の時間的な位置が分かれば、ダウンリンクサブフレーム２０２の終了は、ダウンリンクサブフレーム２０２の長さを決定するために使用される。この長さから、アップリンクサブフレーム２０４の長さ、およびフレーム２００の負荷サイクルが決定される。いったんフレーム２００の負荷サイクルおよびフレーム２００の開始時間が分かると、切替を所定の時に自動的に行うことができる。
【００３０】
一実施形態では、両方のハブ１０６および遠隔アンテナユニット１０８−１１１は、ＴＤＤアップリンクモードとＴＤＤダウンリンクモードとを切り替える時を決定するように、回路３００等の回路を備える。代替実施形態では、回路３００は、ハブ１０６内のみに含まれる。そのような実施形態では、ハブ１０６は、参照することにより本明細書に組み込まれる、２００８年６月２４日出願の代理人整理番号１００．９２４ＵＳ０１、「ＳＹＳＴＥＭ  ＡＮＤ  ＭＥＴＨＯＤ  ＦＯＲ  ＳＹＮＣＨＲＯＮＩＺＥＤ  ＴＩＭＥ−ＤＩＶＩＳＩＯＮ  ＤＵＰＬＥＸ  ＳＩＧＮＡＬ  ＳＷＩＴＣＨＩＮＧ」と題された同時係属米国特許出願第１２／１４４，９３９号で説明されているように、切替時間、ならびに遠隔アンテナユニット１０８−１１１を自力で決定し、遠隔アンテナユニット１０８−１１１に切り替えるための時間を示す制御信号を転送する。
【００３１】
図３に示された実施形態では、回路３００は、２つの周波数帯域の信号を処理する。回路３０１は、第１の周波数帯域の信号を処理し、回路３０２は、第２の周波数帯域の信号を処理する。この実施形態では、回路３０１および３０２は、各回路３０１、３０２がそれぞれの周波数をサポートすることを可能にする、わずかな違いを除いて、同様である。したがって、回路３０１のみを詳細に説明する。他の実施形態では、１つだけの周波数帯域がサポートされる。さらに他の実施形態では、３つ以上の周波数帯域がサポートされる。
【００３２】
回路３０１を使用する場合、ＲＦ二重ポート３０３において、基地局１０２へ／基地局１０２から信号が伝送および受信される。ＲＦ二重ポート３０３は、通信媒体への回路３０１に対するインターフェースの一実施例である。無線端末１１２へ／無線端末１１２からの信号は、それぞれ、ダウンリンク（ＤＬ）ポート３０４およびアップリンク（ＵＬ）ポート３０６において出力および受信される。ダウンリンクポート３０４およびアップリンクポート３０６も、通信媒体への回路３０１に対するインターフェースの実施例である。ダウンリンクポート３０４およびアップリンクポート３０６は、無線信号が無線端末１１２に放射され、かつ無線端末１１２から受信される、１つもしくは複数のアンテナ１０４に連結される。可変抵抗器３０８は、ダウンリンクポート３０４から出力されるダウンリンク信号の電力を制御する。アップリンク側では、増幅器３１０が、さらなる処理および基地局１０２への出力のために、無線端末１１２から受信された信号を増幅する。
【００３３】
回路３０１は、ＲＦ二重ポート３０３で通信媒体に信号を出力することと、ＲＦ二重ポートで通信媒体から信号を受信することとを切り替えるように動作可能である。一実施形態では、スイッチ３１２は、回路３０１を切り替える。スイッチ３０１は、ＲＦ二重ポート３０３を、ダウンリンクポート３０４（ＲＦ二重ポート３０３に連結された通信媒体から信号を受信するため）またはアップリンクポート３０６（ＲＦ二重ポート３０３に連結された通信媒体に信号を出力するため）に連結することによって、アップリンクモードとダウンリンクモードとの間で回路３００を切り替える。図３に示された実施形態では、スイッチ３１２は、１つの共通接続部（二重ポート３０３に連結される）および２つの切替型接続部（それぞれ、ダウンリンクポート３０４およびアップリンクポート３０６に連結される）を有する、単極双投スイッチである。代替実施形態では、ポート３０３は、二重ポートとして動作する、２つの単信ポートを備える。回路３００および単信または二重としてのポート３０３の構成に関する、さらなる詳細は、参照することにより本明細書に組込まれる、２００８年６月２４日出願の代理人整理番号１００．９２５ＵＳ０１、「ＳＹＳＴＥＭ  ＡＮＤ  ＭＥＴＨＯＤ  ＦＯＲ  ＣＯＮＦＩＧＵＲＡＢＬＥ  ＴＩＭＥ−ＤＩＶＩＳＩＯＮ  ＤＵＰＬＥＸ  ＩＮＴＥＲＦＡＣＥ」と題された同時係属米国特許出願第１２／１４４，９１３号で提供されている。
【００３４】
ここで図４を参照すると、ＴＤＤスキームに従って、ＴＤＤダウンストリームモードおよびＴＤＤアップストリームモードでの動作を切り替える時を決定するための方法４００の一実施形態がある。図４に示された方法４００の特定の実施形態は、信号が第１の方向に伝達される期間の終了のタイミングを決定するために使用される。例えば、方法４００は、ダウンリンクサブフレーム２０２の終了を決定する。ダウンリンクサブフレーム２０２は、信号が第１の方向に伝達される期間の一実施例である。アップリンクサブフレーム２０４は、別の実施例である。以下の論議は、ダウンリンクサブフレームのタイミングを決定することに関するが、本明細書で説明される方法および装置はまた、アップリンクサブフレーム２０４のタイミングを決定するために、適切な調整および修正とともに使用することができることも理解されたい。また、図４に示された方法４００の特定の実施形態は、図３の回路３００および図１のシステム１００を使用して実装されるものとして本明細書で説明される。しかしながら、方法４００の他の実施形態が、他の方法で実装される。
【００３５】
方法４００は、ダウンリンク信号の電力レベルを示す情報が生成される、ブロック４０２から始まる。一実施形態では、そのような情報は、ダウンリンク信号の電力レベルを検出し、サンプリングすることによって生成される。ダウンリンク信号は、ＲＦ二重ポート３０３において受信され、連結器３１５が、ダウンリンク信号をＲＦ検出器３１６に連結する。この実施形態では、連結器３１５は、スイッチ３１２の上流に位置する。加えて、この実施形態では、ＲＦ検出器３１６は、二乗平均平方根（ＲＭＳ）検出器である。ダウンリンク信号がＲＦ検出器３１６に到達する前に、この信号は、必要であれば減衰器３２４によって減衰される。減衰器３２４に関するさらなる詳細を、以下に提供する。ＲＦ検出器３１６は、ダウンリンク信号の電力を示す電力レベル信号を出力し、アナログ／デジタル（Ａ／Ｄ）変換器３２０は、ＲＦ検出器３１６によって出力された電力レベル信号のデジタルサンプルを出力する。つまり、Ａ／Ｄ変換器３２０は、ＲＦ検出器３１６によって出力された電力レベル信号を、マイクロプロセッサ３１４用のデジタル化サンプル（「スナップショットサンプル」）に変換する。マイクロプロセッサ３１４は、各サンプルが収集された時間を記録し、少なくとも１つのダウンリンクサブフレーム２０２がサンプリングされるように、ある期間にわたってサンプルを収集する。少なくとも１つのダウンリンクサブフレーム２０２の検出中、スイッチ３１２は、アップリンクサブフレームがＲＦ検出器３１６の中へ連結されないように、ダウンリンク位置に設定される。一実施形態では、これらのサンプルは、１つのフレーム期間に等しい期間にわたって収集される。別の実施形態では、複数の連続フレームが検出され、サンプリングされる。
【００３６】
ブロック４０４では、複数のフレームがブロック４０４において検出され、サンプリングされると、サンプリングされたフレームは、単一の「平均」フレームを作成するように理路整然と加算される。本明細書で使用されるような「理路整然と加算される」は、フレームが整合され、次いで加算されることを意味する。以下で示され、説明される実施形態では、５つのフレームが理路整然と加算される。他の実施形態では、他の数のフレームが理路整然と加算される。第１に、上述のように、ダウンリンクサブフレームが検出され、サンプリングされる。図５は、５つの検出およびサンプリングされたフレームの実施例を示す。上述のように、フレームのダウンリンク部分のみが検出され、サンプリングされ、したがって、フレームのそれぞれの第１の部分は、フレームの第１の部分よりも高い電力レベルを有する。ダウンリンクサブフレームが伝送されている間の期間中に採取されるサンプルは、本明細書では「オン」サンプルと呼ばれる。各フレームの第２の部分は、有効データが受信されないので、受信された雑音を表す、より低い電力レベルを有する。ダウンリンクサブフレームが伝送されていない間のこの期間中に採取されるサンプルは、本明細書では「オフ」サンプルと呼ばれる。各フレームの第１のサンプルを整合し、フレームを合計することによって、５つのフレームが一緒に加算される。この結果は、図６に示されるような単一の平均フレームである。単一のフレームのみが検出される実施形態では、ブロック４０４は必要とされず、当該方法は、平均フレームとして単一フレームを使用して、ブロック４０２からブロック４０６に直接進む。
【００３７】
一実施形態では、ブロック４０６において、平均フレームの処理を改善するために、閾値電力レベルが決定される。閾値電力レベルは、オンおよびオフサンプル電力レベルの間に設定され、オンおよびオフサンプルを区別するために使用される。一実施形態では、オフサンプルは雑音を表すため、オンサンプルが処理され、オフサンプルは無視される。代替実施形態では、オンおよびオフサンプルの両方が処理される。
【００３８】
一実施形態では、閾値を決定するために、単純電力平均が、平均フレームの中の全てのサンプルから計算される。単純電力平均は、サンプルの数で割った平均フレームの全てのサンプルの合計である。単純電力平均線は、線７０２として図７に示されている。一実施形態では、単純電力平均は、アップリンクサブフレーム２０４と比較したダウンリンクサブフレーム２０２の長さの違いを考慮することによって、オンサンプルとオフサンプルとの間の実際の中間点に閾値を近づけるように縮小拡大される。例えば、ダウンリンクサブフレーム２０２がアップリンクサブフレーム２０４よりも長い時、オフサンプルよりも多数のオンサンプルがあるため、オンサンプルに基づいて計算される単純電力平均は、オンサンプルとオフサンプルとの間の実際の中間点よりも高い。単純電力平均を縮小拡大するための一実施形態は、ダウンリンクサブフレームの長さの予期された範囲に基づく情報を使用する。例えば、あるＷｉＭａｘシステムの実装プロファイルは、３５シンボルの最大ダウンリンクサブフレーム長と、２６シンボルの最小ダウンリンクサブフレーム長とを有する。これらの数、ＷｉＭａｘシンボルの長さ（１０２．８５７μｓ）、およびＷｉＭａｘフレームの長さ（５０００μｓ）に基づいて、倍率が以下の方程式に従って決定される。
【００３９】
【数１】
2012500590.tif 000003
【００４０】
したがって、そのようなＷｉＭａｘ実装プロファイルに対する１つの倍率は、０．６２７４である。この実施形態では、次いで、以下の方程式によって、その倍率が調整される。
【００４１】
Ｔｈｒｅｓｈ＝ＳｉｍｐｌｅＡｖｅ・［−０．６２７４×１．１＋１．５］
【００４２】
倍率を調整する１．１および１．５という数は、実験によるデータから決定され、直線方程式の形態である。実験によるデータは、サンプルの中のビット数と、測定され、線に適合される、検出器３１６のノイズフロアとに関係している。次いで、単純平均電力は、閾値を決定するように、倍率を乗じられる。閾値は、図７の線７０４によって示されている。
【００４３】
他の実施形態では、単純電力平均を調整するために、他の倍率が使用される。さらに別の実施形態では、倍率は単純電力平均にまったく適用されない。なおも他の実施形態では、閾値は、異なる方法を使用して決定される。
【００４４】
ブロック４０８では、統合電力曲線を形成するように、平均フレームのサンプルが累積的に合計される。本明細書で使用されるような「累積的に合計される」は、各点の各値を以前の合計に加算し、次の点に進むことを指す。例えば、最初の３つの点が１、２、３である場合、点を累積的に合計することは、１という第１の点、３（１＋２）という第２の点、および６（３＋３）という第３の点を有する、曲線をもたらす。一実施形態では、ブロック４０６の閾値を上回る全てのサンプル（オンサンプル）が統合され、閾値を下回る全てのサンプル（オフサンプル）は無視される。これは、図８に示された曲線８０２をもたらす。曲線８０２は、オンサンプルが加算されている間に一定の率で上昇し、オンサンプルの終了時に、曲線８０２は水平になる。代替実施形態では、ブロック４０６の閾値は使用されず、結果として生じる統合電力曲線は、オンサンプルが加算されている間に一定の率で上昇し、次いで、オフサンプルが加算されている間に、より遅い速度で上昇する。
【００４５】
ブロック４１０では、ダウンリンクサブフレーム２０２の終了が、統合電力曲線からマイクロプロセッサ３１４によって判定される。ダウンリンクサブフレーム２０２の終了は、オンサンプルとオフサンプルとの間の遷移点として識別される。例えば、図８では、遷移点が８０６によって示されている。
【００４６】
一実施形態では、オンサンプルとオフサンプルとの間の遷移点を決定するのに役立つように、統合電力曲線は、統合電力曲線から直線８０４を差し引くことによって下向きに回転される。下向きの回転電力曲線は、オンサンプルとオフサンプルとの間の遷移点におけるピークをもたらす。図９は、曲線８０２から差し引かれた線８０４である、回転電力曲線９０２の実施例を示す。次いで、ピーク検出が回転電力曲線９０２上で行われる。図９で示されるようなピーク９０４は、図８の遷移点８０６に対応する。次いで、ピーク９０４が位置するサンプルは、オンサンプル対オフサンプルの比を決定するように、平均フレームの中のサンプルの総数で割られる。これは、サンプリングされたダウンリンクサブフレーム対他のフレームの比でもある。したがって、次いで、ダウンリンクサブフレーム２０２の長さ、およびフレーム負荷サイクルを決定することができる。
【００４７】
一実施形態では、有限数の予期されたダウンリンクサブフレーム長があり、決定されたダウンリンクサブフレーム長は、最も近い可能なダウンリンクサブフレーム長まで四捨五入される。
【００４８】
一実施形態では、ブロック４０６において決定される閾値は、直線８０４を作製するために使用される。直線８０４は、経時的に累積的に合計された、ブロック４０６からの閾値の半分である。例えば、直線８０４は、閾値の半分に等しい第１の点を有する。直線８０４がグラフに沿って進行するにつれて、閾値の半分が、線８０４の各点で自らに加算される。したがって、線８０４の第２の点は、閾値の１に等しく、第３の点は、１．５に等しい等である。有利なことに、累積的に合計された閾値の傾斜を備える、直線８０４を差し引くことは、ピーク検出の誤差を低減できる、均衡回転曲線９０２をもたらす。
【００４９】
ブロック４１２では、マイクロプロセッサ３１４は、スイッチ３１２を、後続アップリンクサブフレーム２０４に対するアップリンクモード（アップリンクポート３０６からの信号をＲＦ二重ポート３０３に連結する）に設定するために、ステップ４１０で取得された情報を使用する。いったんマイクロプロセッサ３１４がダウンリンクサブフレーム２０２の長さおよび／またはフレーム２００の負荷サイクルを決定すると、この情報は、ダウンリンクサブフレーム２０２の終了時にスイッチ３１２をアップリンクモードに設定するために使用される。負荷サイクルが固定されると、各ダウンリンクサブフレームの終了が、各フレームの開始からの同じ時間量であるため、ダウンリンクサブフレーム２０２の決定された長さに基づいて、後続ダウンリンクサブフレームの終了時間を予測することができる。したがって、一実施形態では、スイッチ３１２は、全てのフレームに対して同じ時点でアップリンクモードに切り替わるように設定される。
【００５０】
図３を再び参照すると、一実施形態では、ダウンリンク信号がＲＦ検出器３１６およびＡ／Ｄ変換器３２０に到達する前に、該信号は、必要であれば減衰器３２４によって減衰される。減衰器３２４に関するさらなる詳細は、参照することにより本明細書に組み込まれる、２００８年６月２４日出願の代理人整理番号１００．９２１ＵＳ０１、「ＭＥＴＨＯＤ  ＡＮＤ  ＡＰＰＡＲＡＴＵＳ  ＦＯＲ  ＦＲＡＭＥ  ＤＥＴＥＣＴＩＯＮ  ＩＮ  Ａ  ＴＤＤ  ＳＹＳＴＥＭ」と題された同時係属米国特許出願第１２／１４４，９６１号で提供されている。
【００５１】
具体的実施形態を本明細書で図示および説明したが、同じ目的を達成するように計算される任意の配設が、示された具体的実施形態に置換されてもよいことが、当業者によって理解されるであろう。いずれの発明も、請求項およびそれらの同等物のみによって限定されることが、明白に意図されている。
【図１】
2012500590.tif 000004
【図２】
2012500590.tif 000005
【図３】
2012500590.tif 000006
【図４】
2012500590.tif 000007
【図５】
2012500590.tif 000008
【図６】
2012500590.tif 000009
【図７】
2012500590.tif 000010
【図８】
2012500590.tif 000011
【図９】
2012500590.tif 000012
【国際調査報告】
2012500590.tif 000013
2012500590.tif 000014